(57)【要約】【課題】安価な構成で、被梱包物の保護機能が優れ、強度も向上した包装箱を提供する。【解決手段】底板１ａの相対する二辺を延長して形成された第１、第２の側面部２、３と、第１、第２の側面部２、３を延長し折り曲げて形成された第１、第２の天面部４、５とで筒状に形成した外箱１ａと、底板１ａの両端部に接着される折り曲げ部１０、１１より延長され外箱１ａの両端開口部１ｃを閉塞する第３、第４の側面部８、９とを設け、第３、第４の側面部８、９の両側と折り曲げ部１０、１１の両端のそれぞれを左右に延長させたもので、第３、第４の側面部８、９の両側の延長部８ａ、９ａを短かくする事ができると共に、折り曲げ部１０、１１の両端の延長部１２、１３により緩衝機能、被梱包物の保護機能、輸送品質が向上する。【選択図】図１
2005138870.tif 000002
【特許請求の範囲】
【請求項１】
略長方形の底板の相対する二辺を延長して形成された第１、第２の側面部と、前記第１、第２の側面部を延長するとともに折り曲げて形成された天面部とで筒状に形成される外箱と、前記底板の両端部に接着されると共にその接着部より延長され前記外箱の両端開口部を閉塞する第３、第４の側面部とを設け、前記第３、第４の側面部の両側と前記接着部の両端のそれぞれを左右にかつ前記第１、第２の側面部まで延長させた包装箱。
【請求項２】
第１、第２の側面部と底板とを仕切る折線と、第３、第４の側面部の前記底板との接着部両端の左右への延長部の根元に設けられた折線とが相対するように形成した請求項１記載の包装箱。
【請求項３】
第３、第４の側面部に設けられた底板との接着部両端の左右への延長部の根元に設けられた折線の反対面に前記折線を挟むように複数の折線を設けた請求項１又２記載の包装箱。
【発明の詳細な説明】
【技術分野】
【０００１】
本発明は製品の梱包に使用する包装箱に関するものである。
【背景技術】
【０００２】
従来の製品例えば空気調和機の室内機などを梱包する包装箱について、図４を用いて説明する。
【０００３】
図において、従来の包装箱２６は、筒状に形成される外箱２７と、外箱２７の両端の開口部を閉塞する第３、第４の側面部３３、３４から構成されている。外箱２７は、底板２８の相対する二辺を延長して形成された第１、第２の側面部２９、３０と、第１、第２の側面部２９、３０を延長して形成された第１、第２の天面部３１、３２からなり、それらを折り曲げる事で筒状に形成される。
【０００４】
底板２８の両端には接着部３５が設けられ、第３、第４の側面部３３、３４は前記接着部３５を延長して形成され、さらにその第３、第４の側面部３３、３４の両側に延長部３６が設けられていた。
【０００５】
そして、包装箱２６を組み立てる時は、最初に底板２８の両端の接着部３５に第３、第４の側面部３３、３４の下端を接着し、接着完了後、底板２８に被梱包物あるいは緩衝材とともに被梱包物を置き、延長部３６を内側に折り込み、次に、延長部３６の外方の略半分を折り返し、最後に、その延長部３６の折り返した面３６ａ並びに第３、第４の側面部３３、３４の上端に設けた接着片３３ａ、３４ａに第１、第２の側面部２９、３０、第１、第２の天面部３１、３２の両端部を接着する事により、包装箱２６の組み立て、並びに製品の梱包を行なっていた（例えば、特許文献１参照）。
【特許文献１】特開２００２−１０４５３３号公報
【発明の開示】
【発明が解決しようとする課題】
【０００６】
しかしながら、上記従来の構成では、底板２８に下端が接着された第３、第４の側面部３３、３４に設けた延長部３６を折り返して強度を確保するようにしていたので、延長部３６が非常に長くなり、材料コストが上がるという課題があった。
【０００７】
本発明は、前記従来の課題を解決するもので、安価な構成で、被梱包物を外力から保護する緩衝機能を向上させると共に、外箱自身の強度も向上させる包装箱を提供することを目的とする。
【課題を解決するための手段】
【０００８】
前記従来の課題を解決するために、本発明の包装箱は、略長方形の底板の相対する二辺を延長して形成された第１、第２の側面部と、前記第１、第２の側面部を延長するとともに折り曲げて形成された天面部とで筒状に形成される外箱と、前記底板の両端部に接着されると共にその接着部より延長され前記外箱の両端開口部を閉塞する第３、第４の側面部とを設け、前記第３、第４の側面部の両側と前記接着部の両端のそれぞれを左右にかつ前記第１、第２の側面部まで延長させたもので、第３、第４の側面部に設けた延長部を折り返す必要が無いのでその分材料が少なくて済むため安価に形成でき、しかも接着部の両端に設けた延長部により輸送時の外力に対する緩衝機能が向上し被梱包物の保護機能、輸送品質が向上する。さらに、包装箱自身の角部の強度が向上し包装箱の潰れなどの変形を防止することができる。
【発明の効果】
【０００９】
本発明の包装箱は、安価な構成で、被梱包物の緩衝機能を向上させ輸送時の品質を向上させると共に、外箱自身の強度も向上させることも可能となる。
【発明を実施するための最良の形態】
【００１０】
第１の発明は、略長方形の底板の相対する二辺を延長して形成された第１、第２の側面部と、前記第１、第２の側面部を延長するとともに折り曲げて形成された天面部とで筒状に形成される外箱と、前記底板の両端部に接着されると共にその接着部より延長され前記外箱の両端開口部を閉塞する第３、第４の側面部とを設け、前記第３、第４の側面部の両側と前記接着部の両端のそれぞれを左右にかつ前記第１、第２の側面部まで延長させたもので、第３、第４の側面部に設けた延長部を折り返す必要が無いのでその分材料が少なくて済むため安価に形成でき、しかも接着部の両端に設けた延長部により輸送時の外力に対する緩衝機能が向上し被梱包物の保護機能、輸送品質が向上する。さらに、包装箱自身の角部の強度が向上し包装箱の潰れなどの変形を防止することができる。
【００１１】
第２の発明は、特に、第１の発明の第１、第２の側面部と底板とを仕切る折線と、第３、第４の側面部の前記底板との接着部両端の左右への延長部の根元に設けられた折線とが相対するように形成したもので、第１、第２の側面部の折線部分に、第３、第４の側面部を底板に接着する際の接着剤などが付着せず、第１、第２の側面部の折り曲げ時の自由度が増し、折り曲げの作業性が向上するものである。
【００１２】
第３の発明は、特に、第１又は第２の発明の第３、第４の側面部に設けられた底板との接着部両端の左右への延長部の根元に設けられた折線の反対面に前記折線を挟むように複数の折線を設けたもので、第１、第２の側面部の折り曲げ時、第３、第４の側面部に設けた延長部の折線部分が潰れ易くなり、第１、第２の側面部の折り曲げ時の作業性が大幅に向上する。
【００１３】
以下本発明の実施の形態について図面を参照しながら説明する。なお、この実施の形態によって本発明が限定されるものではない。
【００１４】
（実施の形態１）
図１は、本発明の第１の実施形態における包装箱の分解斜視図、図２は、同包装箱の展開図、図３は、同包装箱の要部側面図である。
【００１５】
図において、包装箱１は、筒状に形成される外箱１ａと、外箱１ａの両端の筒状開口部１ｃを閉塞する第３、第４の側面部８、９から構成されている。
【００１６】
外箱１ａは、底板１ｂの相対する二辺を延長して形成された第１、第２の側面部２、３と、第１、第２の側面部２、３を延長して形成された第１、第２の天面部４、５からなり、それらを折り曲げ、第１、第２の天面部４、５の端面６、７を付き合わせることにより筒状に形成される。
【００１７】
この外箱１ａの両端の開口部１ｃを閉塞する第１、第２の側面部８、９の下端を折り曲げて接着部となる折り曲げ部１０、１１を形成し、外箱１ａの底板１ａと接着等により密着させ固定させる。さらに折り曲げ部１０、１１の左右両端を舌状に延長させて延長部１２、１３が形成されている。その延長部１２、１３は第１、第２の側面部２、３の内面に沿って折り曲げ部１０、１１の両端より天面方向に折り曲げられている。また、第３、第４の側面部８、９の左右の両端は延長されて延長部８ａ、９ａが設けられている。
【００１８】
また、図２に示すように、外箱１ａには第１、第２の側面部２、３を折り曲げるための折線１４、１５が形成され、第３、第４の側面部８、９の下端の折り曲げ部１０、１１には、延長部１２、１３を第１、第２の側面部２、３に沿わせて折り曲げる折線１６、１７が設けられている。そして図３に示すように、この外箱１ａに設けた折線１４、１５と延長部１２、１３に設けた折線１６、１７が相対するように形成されている。
【００１９】
上記構成における包装箱１の組み立て及び、製品の梱包方法は以下の通りである。  最初に第３、第４の側面部８、９の下端の折り曲げ部１０、１１を底板１ｂの両端に、また延長部１２、１３を第１、第２の側面部２、３の両端にそれぞれ接着し、接着完了後、第３、第４の側面部８、９を起し、底板１ｂに被梱包物をあるいは緩衝材とともに被梱包物を置く。次に、第３、第４の側面部８、９の両側に延長した延長部８ａ、９ａを内側に折り込み、最後に、延長部８ａ、９ａ並びに第３、第４の側面部８、９の上端に設けた接着片８ｂ、９ｂに第１、第２の側面部２、３、第１、第２の天面部４、５の其其の端部を接着することで、包装箱１の組み立て、並びに製品の梱包が完了する。
【００２０】
以上のように本実施の形態によれば、第３、第４の側面部８、９の下端を折り曲げて形成した折り曲げ部１０、１１の左右両端に設けた延長部１２、１３により、輸送時の外力に対する緩衝機能が大きく向上し被梱包物の保護機能が向上し輸送品質が向上する。さらに、外箱１ａ自身の角部の強度が向上し外箱１ａの潰れなどの変形が防止できる。そして、上記のように延長部１２、１３により包装箱１の強度が充分確保されるので、第３、第４の側面部８、９の両側に設けた延長部８ａ、９ａを折り返す必要が無く、その分延長部８ａ、９ａを短くすることができ、折り返し作業が不要となり、しかも少ない材料で形成できるので、包装箱を安価に形成する事ができる。
【００２１】
また、この外箱１ａに設けた折線１４、１５と延長部１２、１３に設けた折線１６、１７が相対するように形成したことにより、折り曲げ部１０、１１、延長部１２、１３を底板１ｂ、第１、第２の側面部２、３にそれぞれ接着する際に、折線１４、１５の部分にその接着剤などが付着しないので、第１、第２の側面部２、３の折り曲げ時の自由度が増し折り曲げの作業性が向上する。
【００２２】
さらに、第３、第４の側面部８、９の下端の折り曲げ部１０、１１の延長部１２、１３に設けた折線１６、１７の反対側の面に折線１６・１７を挟むように折線１８、１９を複数形成するようにすれば、第１、第２の側面部２、３の折り曲げ時、開口部１ｃを閉塞する第３、第４の側面部８、９に設けた延長部１２、１３の折線部分が潰れ易くなり、第１、第２の側面部２，３の折り曲げ作業性が飛躍的に向上するものである。
【００２３】
なお、上記実施の形態では、第３、第４の側面部８、９を外箱１ａとは分離した別部品で形成したが、外箱１ａに連続して形成し、折り曲げた後、その第３、第４の側面部８、９を外箱１ａと接着し固定しても同様の効果を得ることができることは、言うまでも無い。
【産業上の利用可能性】
【００２４】
以上のように、本発明にかかる包装箱は、安価で、組み立て性がよく、輸送時の外力からの保護機能を優れているので、横長でしかも、比較的重い商品の梱包用の包装箱に広く適用できるものである。
【図面の簡単な説明】
【００２５】
【図１】本発明の実施の形態１における包装箱の分解斜視図
【図２】同包装箱の展開図
【図３】同包装箱の要部側面図
【図４】従来の包装箱の分解斜視図
【符号の説明】
【００２６】
１    包装箱
１ａ    外箱
１ｂ    底板
１ｃ    開口部
２    第１の側面部
３    第２の側面部
４    第１の天面部（天面部）
５    第２の天面部（天面部）
８    第３の側面部
９    第４の側面部
１０、１１    折り曲げ部（接着部）
１２、１３    延長部
１４〜１９    折線
【図１】
2005138870.tif 000003
【図２】
2005138870.tif 000004
【図３】
2005138870.tif 000005
【図４】
2005138870.tif 000006